【手続補正書】
【提出日】平成20年2月7日(2008.2.7)
【手続補正１】
【補正対象書類名】特許請求の範囲
【補正対象項目名】全文
【補正方法】変更
【補正の内容】
【特許請求の範囲】
【請求項１】
外気の吸込口及び吹出口を有する筐体内に、熱交換手段と、前記吸込口から外気を吸引し、除湿された空気を前記吹出口から吹出す送風手段と、前記熱交換手段に付着して落下する水の排水手段と、該排水手段からの水を溜める排水容器とを備え、該排水手段にホースを接続し水を前記排水容器に溜めずに筐体外に排出することが可能な除湿機において、
前記筐体に前記排水容器を出し入れする排水容器の出し入れ口を設け、前記排水容器の前面パネルにカバー体により開閉可能に形成されたホース挿通口を設けると共に、前記排水手段の排水口を前記排水容器の出し入れ方向に開口したことを特徴とする除湿機。
【請求項２】
前記冷凍サイクル手段の蒸発器と凝縮器を、筐体内の上下方向に配置したことを特徴とする請求項１記載の除湿機。
【請求項３】
前記冷凍サイクル手段の蒸発器と凝縮器を、筐体内の前後方向に配置したことを特徴とする請求項１記載の除湿機。
【請求項４】
前記排水容器を、本体部と前面パネルとによって構成し、前記前面パネルを前記排水容器の出し入れ口を閉塞する大きさに形成すると共に、該前面パネルに上部が開口するほぼＵ字状のホース挿通口を設け、該ホース挿通口をカバー体により開閉可能に構成したことを特徴とする請求項１〜３のいずれかに記載の除湿機。
【請求項５】
前記カバー体を、前記ホース挿通口に着脱可能に形成したことを特徴とする請求項１〜４のいずれかに記載の除湿機。
【請求項６】
前記排水容器の前面パネルの背面側に、前記カバー体を収納するカバー体収納部を設けたことを特徴とする請求項５記載の除湿機。
【請求項７】
前記カバー体を、上部両側に設けた支持軸を前記ホース挿通口の上部両側に設けた嵌合穴に嵌合して回動自在に形成したことを特徴とする請求項１〜４のいずれかに記載の除湿機。
【請求項８】
前記排水手段の下端部にＬ字状の配水管を連結し、その排水口を前記排水容器の出し入れ方向に開口したことを特徴とする請求項１〜７のいずれかに記載の除湿機。
【請求項９】
前記排水手段の下端部に連結した配水管を回動可能に構成したことを特徴とする請求項８記載の除湿機。
【請求項１０】
前記排水手段の排水口にホースの一端を接続し、該ホースの他端を前記排水容器の前面パネルのホース挿通口に挿通して引き出したことを特徴とする請求項１〜９のいずれかに記載の除湿機。
【手続補正２】
【補正対象書類名】明細書
【補正対象項目名】０００４
【補正方法】変更
【補正の内容】
【０００４】
特許文献１の除湿機においては、乾燥効率が向上するので、衣類や、床や、壁等からの水分の蒸発が促進されて乾燥時間が大幅に短縮されるとしている。
そして、除湿水タンク内に水が一杯溜ったときは、キャビネットから取出して水を棄て、再びキャビネット内にセットする。
ところで、このような除湿機においては、蒸発器（冷却器）に付着し落下する水を排水容器（除湿水タンク）に溜めないで、ドレンパイプ（ドレン排水口）にホースを接続して筐体外に連続して排出する場合が屡々ある。
【手続補正３】
【補正対象書類名】明細書
【補正対象項目名】０００６
【補正方法】変更
【補正の内容】
【０００６】
このような除湿機において、蒸発器１０７から落下する水を筐体外に排出するためには、筐体１０１の背面板の排水容器収容部１０４の背面位置にホース挿通穴１１２を開口し、背面側からホース挿通穴１１２に挿通したホース１１３の一端をドレン排水口１０５に接続し、他端を筐体外に取出すようにしていた。
【手続補正４】
【補正対象書類名】明細書
【補正対象項目名】０００７
【補正方法】変更
【補正の内容】
【０００７】
従来の除湿機は、蒸発器１０７に付着し落下する水を筐体外に排出するためには、ドレン排水口１０５にホース１１３を接続するために、筐体１０１の背面板をニッパー等で切除してほぼ円形のホース挿通穴１１２を設けなければならないので、きわめて面倒であるばかりでなく、ホース１１３による筐体外への排水を中止した場合は、ホース挿通穴１１２を塞ぐのが面倒で、若し他の部材で閉塞したことしても意匠上好ましくなかった。
また、ドレン排水口１０５にホース１１３の接続にあたっては、筐体１０１の背面側からホース挿通穴１１２に挿通したホースを、筐体１０１の前面開口部１０３から行わなければならないので、ホース１１３の接続作業がきわめて面倒であった。
【手続補正５】
【補正対象書類名】明細書
【補正対象項目名】０００８
【補正方法】変更
【補正の内容】
【０００８】
本発明は、上記の課題を解決するためになされたもので、筐体自身になんら加工することがなく排水手段にホースを接続することができ、また、排水手段へのホースの接続作業が容易で、筐体の壁面から簡単にホースを取出すことができるばかりでなく、筐体外への排水を中止したときはホース挿通口を簡単に閉塞することができる、意匠的にも優れた除湿機を提供することを目的としたものである。
【手続補正６】
【補正対象書類名】明細書
【補正対象項目名】０００９
【補正方法】変更
【補正の内容】
【０００９】
本発明に係る除湿機は、外気の吸込口及び吹出口を有する筐体内に、熱交換手段と、前記吸込口から外気を吸引し、除湿された空気を前記吹出口から吹出す送風手段と、前記熱交換手段に付着して落下する水の排水手段と、該排水手段からの水を溜める排水容器とを備え、該排水手段にホースを接続し水を前記排水容器に溜めずに筐体外に排出することが可能な除湿機において、前記筐体に前記排水容器を出し入れする排水容器の出し入れ口を設け、前記排水容器の前面パネルにカバー体により開閉可能に形成されたホース挿通口を設けると共に、前記排水手段の排水口の前記排水容器の出し入れ方向に開口したものである。
【手続補正７】
【補正対象書類名】明細書
【補正対象項目名】００１９
【補正方法】変更
【補正の内容】
【００１９】
次に、上記のように構成した本実施の形態に係る除湿機の動作について、図１〜図４を参照して説明する。
先ず、図４に示すように、筐体１の側壁に設けた側面開口部１４から排水容器収容室１５内に排水容器４０を収容し、前面パネル４２により側面開口部１４を閉塞する。このとき、ホース挿通口４３にはカバー体４５が嵌合されて閉塞されている。なお、図示してないが、筐体１内に設けた電源回路は、コードにより商用電源に接続されている。
【手続補正８】
【補正対象書類名】明細書
【補正対象項目名】００２１
【補正方法】変更
【補正の内容】
【００２１】
一方、運転スイッチをＯＮすることにより送風機２８が駆動され、上部吸込み口８ａから吸引された室内の空気（以下、外気という）は、上部フィルタ９ａにより清浄化されて蒸発器２２により露点以下に冷却されると共に除湿され、矢印で示すように、風路１３を経て吹出し口１２から室内に吹出す。この間、蒸発器２２のフインの間に水分が付着し、その一部は図８に示すように、ドレンパイプ１０の排水口１１から排水容器４０内に落下し、溜められる。
【手続補正９】
【補正対象書類名】明細書
【補正対象項目名】００２４
【補正方法】変更
【補正の内容】
【００２４】
ところで、除湿機においては、前述のように、蒸発器２２から落下した水を排水容器４０に溜めないで、ホースにより筐体外に排水するようにすることがある。
このような場合は、本実施の形態においては、図７に示すように、排水容器４０の前面パネル４２に設けたホース挿通口４３に装着したカバー体４５を取外し、カバー体収納部４７に収納する。
【手続補正１０】
【補正対象書類名】明細書
【補正対象項目名】００２５
【補正方法】変更
【補正の内容】
【００２５】
そして、図４に示すように、排水容器４０を側面開口部１４から引出して、図１０に示すように、ドレンパイプ１０の排水口１１にホース６０の一端を接続して他端を筐体１外に引出し、図９に示すように、排水容器４０のホース挿通口４３をホース６０に嵌合し、排水容器４０をホース６０に沿って側面開口部１４から排水容器収容室１５に収容する。これにより、図１１に示すように、ホース６０は筐体１の側面側において、排水容器４０の前面パネル４２から引出され、屋外に導かれる。
【手続補正１１】
【補正対象書類名】明細書
【補正対象項目名】００２６
【補正方法】変更
【補正の内容】
【００２６】
本実施の形態に係る除湿機は、上記のように構成したので、蒸発器２２から落下する水を、排水容器４０に溜めるか、ホース６０により筐体外に排水するかのいずれかを簡単に切換えることができるので、汎用性を高めることができる。また、排水容器４０を引出して排水容器収容室１５の広い空間で、排水容器４０の引出し方向に曲げられたドレンパイプ１０の排水口１１にホース６０を接続するようにしたので、ホース６０の接続作業がきわめて容易である。さらに、筐体１になんら加工することなくホース６０を引出すことができるので、筐体１の意匠性を損なうことがない。
【手続補正１２】
【補正対象書類名】明細書
【補正対象項目名】００３０
【補正方法】変更
【補正の内容】
【００３０】
本実施の形態に係る除湿機に排水用のホース６０を設ける場合は、先ず、排水容器４０を筐体１の側面開口部１４から引出し、ホース６０の一端をドレンパイプ１０に接続する。ついで、図１４に示すように、ホース６０の他端により排水容器４０の後面側からホース挿通口４３のカバー体４５を押圧する。これにより、カバー体４５は前面側（外側）に回動するので、ホース６０をホース挿通口４３から引出すことができる。このとき、カバー体４５はホース６０の上面に沿って保持される。そして、排水容器４０を筐体１の側面開口部１４から排水容器収容室１５内に収容し、ホース６０の他端を筐体外に引出す。
ホース６０による排水を中止する場合は、ホース６０を取外せば、カバー体４５は自重により自動的に回動して垂直状態になり、ホース挿通口４３を閉塞する。
【手続補正１３】
【補正対象書類名】明細書
【補正対象項目名】００３３
【補正方法】変更
【補正の内容】
【００３３】
すなわち、蒸発器２２の下流側に第１の送風機２８ａを設けて隔壁５の下流側に設けたモータ３０ａにより回動駆動し、凝縮器２３の下流側において隔壁５の開口部５ａの下流側に第２の送風機２８ｂを設けて、開口部５ａの近傍に設けたモータ３０ｂにより回転駆動するようにしたものがある。そして、第３の仕切板７ａの隔壁５側を開口して第１の風路１３ａを設けると共に、隔壁５の上部を開口して、第１，第２の風路１３ａ，１３ｂを吹出口１２に連通させるようにしたものである。なお、排水容器４０及びドレンパイプ１０の構造、蒸発器２２から落下した水を筐体外に排出するためのホース６０の接続、引出し等は、実施の形態１又は２の場合と同様である。
本実施の形態においても、本実施の形態１又は２の場合とほぼ同様の効果を得ることができる。
【手続補正１４】
【補正対象書類名】明細書
【補正対象項目名】００３６
【補正方法】変更
【補正の内容】
【００３６】
筐体１の一方の側壁の下部には側面開口部（図示せず）が設けられており、仕切板４ａの下部には排水容器収容室１５が設けられている。なお、仕切板４ａの上面は、ドレン口１０ａに向って傾斜するほぼ漏斗状に形成されている。
また、凝縮器２３の下流側において、隔壁５に設けた開口部５ａの下流側には送風機２８が設置されており、モータ３０により回転駆動される。なお、排水容器４０の構造、蒸発器２２から落下した水を筐体外に排出するためのホース６０の接続、引出し等は、実施の形態１，２の場合と同様である。